(57)【要約】【課題】十分な広告情報をユーザに伝えるとともに、印刷品位を損なわない印刷結果をユーザが得られる印刷システム、コンピュータシステム、印刷方法及びプログラムを提供する。【解決手段】ＡＢＣプリントステーション３１は、広告情報を印刷依頼主の端末上に表示する場合と広告情報を表示しない場合との価格表を、印刷依頼主の端末上に表示させ、印刷依頼主の端末上への広告情報の表示が選択された場合に該広告情報を印刷依頼主の端末上に送信してＷｅｂ上で表示させる。電子メールを送信することにより広告情報を表示させるとしても良い。【選択図】　図１
2004046721.tif 000002
【特許請求の範囲】
【請求項１】
プリンタと、ユーザが使用するユーザの端末と、データベースへのアクセスが可能なコンピュータシステムとがネットワークで接続され、前記ユーザの端末に広告を表示して、印刷出力サービスを提供するための印刷システムであって、
前記コンピュータシステムは、
前記ユーザの端末からの要求に応じて、データベースに登録されているプリンタに関する情報に基づいた印刷出力先を示す印刷出力先情報を、前記ユーザの端末に提供する提供手段を備え、
前記ユーザの端末は、
送信されてきた前記印刷出力先情報が示す印刷出力先から所望の印刷出力先をユーザに選択させて、ユーザにより選択された印刷出力先で印刷を行うことを依頼する依頼手段を備え、
前記コンピュータシステムは、
広告情報を前記ユーザの端末上に表示する場合と表示しない場合とでの印刷の価格を示す価格情報を、前記ユーザ端末に提供する価格提供手段と、
広告情報を表示することが選択された場合に、前記広告情報を前記ユーザの端末に提供する広告提供手段とを備えることを特徴とする印刷システム。
【請求項２】
前記コンピュータシステムは、
送信されてきた広告情報をデータベースに登録する広告登録手段と、
送信されてきたプリンタに関する情報をデータベースに登録するプリンタ登録手段とを有し、
前記広告提供手段は、データベースに登録されている広告情報のうちのいずれかを前記ユーザの端末に提供することを特徴とする請求項１に記載の印刷システム。
【請求項３】
前記広告提供手段は、前記広告情報を、前記ユーザの端末のブラウザに表示可能なデータで、または電子メールで提供することを特徴とする請求項１に記載の印刷システム。
【請求項４】
印刷出力先の候補を検索するための検索情報を前記ユーザの端末から受信して、当該検索情報に基づいて印刷出力先を検索し、検索結果に基づいて前記印刷出力先情報を生成する検索手段を備えることを特徴とする請求項１から３のいずれか１項に記載の印刷システム。
【請求項５】
プリンタと、ユーザが使用するユーザの端末と、データベースへのアクセスが可能なコンピュータシステムとがネットワークで接続され、前記ユーザの端末に広告を表示して、印刷出力サービスを提供するための印刷システムにおける前記コンピュータシステムであって、
該コンピュータシステムは、
前記ユーザの端末からの要求に応じて、データベースに登録されているプリンタに関する情報に基づいた印刷出力先を示す印刷出力先情報を、前記ユーザの端末に提供する提供手段を備え、
前記ユーザの端末は、
送信されてきた前記印刷出力先情報が示す印刷出力先から所望の印刷出力先をユーザに選択させて、ユーザにより選択された印刷出力先で印刷を行うことを依頼する依頼手段を備え、
前記コンピュータシステムは、
広告情報を前記ユーザの端末上に表示する場合と表示しない場合とでの印刷の価格を示す価格情報を、前記ユーザ端末に提供する価格提供手段と、
広告情報を表示することが選択された場合に、前記広告情報を前記ユーザの端末に提供する広告提供手段とを備えることを特徴とするコンピュータシステム。
【請求項６】
送信されてきた広告情報をデータベースに登録する広告登録手段と、
送信されてきたプリンタに関する情報をデータベースに登録するプリンタ登録手段とを有し、
前記広告提供手段は、データベースに登録されている広告情報のうちのいずれかを前記ユーザの端末に提供することを特徴とする請求項５に記載のコンピュータシステム。
【請求項７】
前記広告提供手段は、前記広告情報を、前記ユーザの端末のブラウザに表示可能なデータで、または電子メールで提供することを特徴とする請求項５に記載のコンピュータシステム。
【請求項８】
印刷出力先の候補を検索するための検索情報を前記ユーザの端末から受信して、当該検索情報に基づいて印刷出力先を検索し、検索結果に基づいて前記印刷出力先情報を生成する検索手段を備えることを特徴とする請求項５から７のいずれか１項に記載のコンピュータシステム。
【請求項９】
ユーザが使用するユーザ端末に広告を表示して、印刷出力サービスを提供する印刷方法であって、
前記ユーザの端末からの要求に応じて、データベースに登録されているプリンタに関する情報に基づいた印刷出力先を示す印刷出力先情報を、前記ユーザの端末に提供する提供工程と、
前記印刷出力先情報が示す印刷出力先から所望の印刷出力先をユーザに選択させて、ユーザにより選択された印刷出力先で印刷を行うことを依頼する依頼工程と、
広告情報を前記ユーザの端末上に表示する場合と表示しない場合とでの印刷の価格を示す価格情報を、前記ユーザ端末に提供する価格提供工程と、
広告情報を表示することが選択された場合に、前記広告情報を前記ユーザの端末に提供する広告提供工程とを有することを特徴とする印刷方法。
【請求項１０】
送信されてきた広告情報をデータベースに登録する広告登録工程と、
送信されてきたプリンタに関する情報をデータベースに登録するプリンタ登録工程とを有し、
前記広告提供工程は、データベースに登録されている広告情報のうちのいずれかを前記ユーザの端末に提供することを特徴とする請求項９に記載の印刷方法。
【請求項１１】
前記広告提供工程は、前記広告情報を、前記ユーザの端末のブラウザに表示可能なデータで、または電子メールで提供することを特徴とする請求項９に記載の印刷方法。
【請求項１２】
印刷出力先の候補を検索するための検索情報を前記ユーザの端末から受信して、当該検索情報に基づいて印刷出力先を検索し、検索結果に基づいて前記印刷出力先情報を生成する検索工程を備えることを特徴とする請求項９から１１のいずれか１項に記載の印刷方法。
【請求項１３】
ユーザが使用するユーザ端末に広告を表示して、印刷出力サービスを提供するためのプログラムであって、
所望の印刷出力先をユーザに選択させるために、前記ユーザの端末からの要求に応じて、データベースに登録されているプリンタに関する情報に基づいた印刷出力先を示す印刷出力先情報を、前記ユーザの端末に提供する提供工程と、
広告情報を前記ユーザの端末上に表示する場合と表示しない場合とでの印刷の価格を示す価格情報を、前記ユーザ端末に提供する価格提供工程と、
広告情報を表示することが選択された場合に、前記広告情報を前記ユーザの端末に提供する広告提供工程とをコンピュータに実行させることを特徴とするプログラム。
【発明の詳細な説明】
【０００１】
【発明の属する技術分野】
本発明は、データベース（以後ＤＢと略す）機能を備えたコンピュータシステムとインターネット等のネットワークを利用して、ユーザ端末からコンビニ等に設置されている印刷装置に印刷依頼する際に、ユーザ端末上に広告表示を行うことにより、安価に印刷出力結果をユーザに提供することができる印刷システム及びこのような印刷システムに適用されて好適なコンピュータシステム、印刷方法及びプログラムに関するものである。
【０００２】
【従来の技術】
従来、広告表示の代わりに有料印刷装置の利用料金を安くするサービスする方法としては、特開２００１−７７９５３号公報に記載のように、印刷出力結果に広告情報を印刷表示する方法が提案されていた。
【０００３】
【発明が解決しようとする課題】
しかし、この発明の方法では、広告情報が印刷依頼内容と共に印刷されてしまうので、印刷内容の品位に影響を与えたり、印刷スペースの制限から十分な広告メッセージを伝えられないなど、双方にとって不都合が生じており、本課題を解決することが望まれていた。
【０００４】
そこで、上記課題を解決して、十分な広告情報をユーザに伝えるとともに、印刷品位を損なわない印刷結果をユーザが得られる印刷システム、コンピュータシステム、印刷方法及びプログラムを提供することが本発明の目的である。
【０００５】
【課題を解決するための手段】
上記目的を達成するために、本発明に係る印刷システムは、プリンタと、ユーザが使用するユーザの端末と、データベースへのアクセスが可能なコンピュータシステムとがネットワークで接続され、前記ユーザの端末に広告を表示して、印刷出力サービスを提供するための印刷システムであって、前記コンピュータシステムは、前記ユーザの端末からの要求に応じて、データベースに登録されているプリンタに関する情報に基づいた印刷出力先を示す印刷出力先情報を、前記ユーザの端末に提供する提供手段を備え、前記ユーザの端末は、送信されてきた前記印刷出力先情報が示す印刷出力先から所望の印刷出力先をユーザに選択させて、ユーザにより選択された印刷出力先で印刷を行うことを依頼する依頼手段を備え、前記コンピュータシステムは、広告情報を前記ユーザの端末上に表示する場合と表示しない場合とでの印刷の価格を示す価格情報を、前記ユーザ端末に提供する価格提供手段と、広告情報を表示することが選択された場合に、前記広告情報を前記ユーザの端末に提供する広告提供手段とを備えることを特徴とする。
【０００６】
また、本発明に係る印刷システムは、前記コンピュータシステムは、送信されてきた広告情報をデータベースに登録する広告登録手段と、送信されてきたプリンタに関する情報をデータベースに登録するプリンタ登録手段とを有し、前記広告提供手段は、データベースに登録されている広告情報のうちのいずれかを前記ユーザの端末に提供することを特徴とする。
【０００７】
また、本発明に係る印刷システムは、前記広告提供手段は、前記広告情報を、前記ユーザの端末のブラウザに表示可能なデータで、または電子メールで提供することを特徴とする。
【０００８】
また、本発明に係る印刷システムは、印刷出力先の候補を検索するための検索情報を前記ユーザの端末から受信して、当該検索情報に基づいて印刷出力先を検索し、検索結果に基づいて前記印刷出力先情報を生成する検索手段を備えることを特徴とする。
【０００９】
さらに、本発明に係るコンピュータシステムは、プリンタと、ユーザが使用するユーザの端末と、データベースへのアクセスが可能なコンピュータシステムとがネットワークで接続され、前記ユーザの端末に広告を表示して、印刷出力サービスを提供するための印刷システムにおける前記コンピュータシステムであって、該コンピュータシステムは、前記ユーザの端末からの要求に応じて、データベースに登録されているプリンタに関する情報に基づいた印刷出力先を示す印刷出力先情報を、前記ユーザの端末に提供する提供手段を備え、前記ユーザの端末は、送信されてきた前記印刷出力先情報が示す印刷出力先から所望の印刷出力先をユーザに選択させて、ユーザにより選択された印刷出力先で印刷を行うことを依頼する依頼手段を備え、前記コンピュータシステムは、広告情報を前記ユーザの端末上に表示する場合と表示しない場合とでの印刷の価格を示す価格情報を、前記ユーザ端末に提供する価格提供手段と、広告情報を表示することが選択された場合に、前記広告情報を前記ユーザの端末に提供する広告提供手段とを備えることを特徴とする。
【００１０】
また、本発明に係るコンピュータシステムは、送信されてきた広告情報をデータベースに登録する広告登録手段と、送信されてきたプリンタに関する情報をデータベースに登録するプリンタ登録手段とを有し、前記広告提供手段は、データベースに登録されている広告情報のうちのいずれかを前記ユーザの端末に提供することを特徴とする。
【００１１】
また、本発明に係るコンピュータシステムは、前記広告提供手段は、前記広告情報を、前記ユーザの端末のブラウザに表示可能なデータで、または電子メールで提供することを特徴とする。
【００１２】
また、本発明に係るコンピュータシステムは、印刷出力先の候補を検索するための検索情報を前記ユーザの端末から受信して、当該検索情報に基づいて印刷出力先を検索し、検索結果に基づいて前記印刷出力先情報を生成する検索手段を備えることを特徴とする。
【００１３】
さらに、本発明に係る印刷方法は、ユーザが使用するユーザ端末に広告を表示して、印刷出力サービスを提供する印刷方法であって、前記ユーザの端末からの要求に応じて、データベースに登録されているプリンタに関する情報に基づいた印刷出力先を示す印刷出力先情報を、前記ユーザの端末に提供する提供工程と、前記印刷出力先情報が示す印刷出力先から所望の印刷出力先をユーザに選択させて、ユーザにより選択された印刷出力先で印刷を行うことを依頼する依頼工程と、広告情報を前記ユーザの端末上に表示する場合と表示しない場合とでの印刷の価格を示す価格情報を、前記ユーザ端末に提供する価格提供工程と、広告情報を表示することが選択された場合に、前記広告情報を前記ユーザの端末に提供する広告提供工程とを有することを特徴とする。
【００１４】
また、本発明に係る印刷方法は、送信されてきた広告情報をデータベースに登録する広告登録工程と、送信されてきたプリンタに関する情報をデータベースに登録するプリンタ登録工程とを有し、前記広告提供工程は、データベースに登録されている広告情報のうちのいずれかを前記ユーザの端末に提供することを特徴とする。
【００１５】
また、本発明に係る印刷方法は、前記広告提供工程は、前記広告情報を、前記ユーザの端末のブラウザに表示可能なデータで、または電子メールで提供することを特徴とする。
【００１６】
また、本発明に係る印刷方法は、印刷出力先の候補を検索するための検索情報を前記ユーザの端末から受信して、当該検索情報に基づいて印刷出力先を検索し、検索結果に基づいて前記印刷出力先情報を生成する検索工程を備えることを特徴とする。
【００１７】
さらに、本発明に係るプログラムは、ユーザが使用するユーザ端末に広告を表示して、印刷出力サービスを提供するためのプログラムであって、所望の印刷出力先をユーザに選択させるために、前記ユーザの端末からの要求に応じて、データベースに登録されているプリンタに関する情報に基づいた印刷出力先を示す印刷出力先情報を、前記ユーザの端末に提供する提供工程と、広告情報を前記ユーザの端末上に表示する場合と表示しない場合とでの印刷の価格を示す価格情報を、前記ユーザ端末に提供する価格提供工程と、広告情報を表示することが選択された場合に、前記広告情報を前記ユーザの端末に提供する広告提供工程とをコンピュータに実行させることを特徴とする。
【００１８】
本課題を解決するために、本発明においては、広告情報の表示を、印刷による表示ではなく、Ｗｅｂ上の表示や電子メールによる表示で行なうことにより、本課題を解決しようとするものである。
【００１９】
本発明によるシステムは、本課題を解決するための手段として、以下のハードウェアとソフトウェアの構成を備える。
【００２０】
＜ハードウェア構成＞
１．ネットワーク施設（図１では通信網３０）
２．ネットワーク接続機能を備えたパソコン（以後ＰＣと略す）等の利用者用端末装置（図１ではユーザ端末３２）
３．上記２．のＰＣから発信され、１．のネットワーク施設を介して送信されてきたプリンタ情報、広告／広告主情報、印刷ジョブ情報等を受信して記憶する大容量記憶装置を備えたサーバシステム（図１ではＡＢＣプリントステーション３１）
４．印刷依頼を受けた印刷データを印刷する印刷装置（図１ではネットワーク対応プリンタ３３）
【００２１】
なお、本発明にいうコンピュータシステムとは、少なくとも１以上のコンピュータ（サーバ）の集合体をいう。また、コンピュータ（サーバ）にはデータベースも含まれる。
【００２２】
＜ソフトウェア構成＞
１．プリンタ情報、広告／広告主情報、印刷ジョブ情報をＤＢ登録、更新、検索する手段
２．印刷依頼受付情報を、指定されたメールアドレス宛に広告情報を付加して送信する手段
３．印刷料金算出請求手段
【００２３】
【発明の実施の形態】
以下に図面を参照して、この発明の好適な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００２４】
また、以下の図面において、既述の図面に記載された部品と同様の部品には同じ番号を付す。
【００２５】
また、以下に説明する本発明に係る印刷システムの各実施形態の説明は、本発明に係る、コンピュータシステム、印刷方法及びプログラムの各実施形態の説明を兼ねる。
【００２６】
（印刷システムの第１の実施形態）
以下、本発明の実施の形態について図面を参照して詳細に説明する。図１は、本発明に係る印刷システムの第１の実施形態の構成を説明するブロック図である。
【００２７】
図１において、３１は、Ｗｅｂサーバを備え、コンビニ等のプリントサービス業者、広告主、印刷依頼主（ユーザ）との間で各種情報を通信網３０を介して送受信して、印刷依頼や広告掲示依頼を受け付け、印刷料金を双方で分担して負担してもらうための管理手段を備えた印刷依頼マネージメントセンターであり、“ＡＢＣプリントステーション”と称する。
【００２８】
３２は１〜ｈの複数の印刷依頼するユーザ端末ＰＣで、Ｗｅｂサーバが送信するＷｅｂデータを受信して表示するＷｅｂブラウザを内蔵している。
【００２９】
３３は１〜ｉの複数のネットワーク対応プリンタであり、ＡＢＣプリントステーション３１から送信されてくる印刷データを受信して印刷する。
【００３０】
３４は１〜ｉの上記ネットワーク対応プリンタ３３に各々対応するプリンタ用端末ＰＣで、印刷出力結果を受け取りに来店したユーザに印刷料金を請求するためのデータを、ＡＢＣプリントステーション内の印刷ジョブ情報ＤＢ４３から読み出すことが可能となっている。
【００３１】
また、プリンタ用端末３４は、Ｗｅｂサーバが送信するＷｅｂデータを受信して表示するＷｅｂブラウザを内蔵しており、広告主からの依頼で広告情報や広告主情報をＡＢＣプリントステーションの広告／広告主情報ＤＢ４１に登録することができる。
【００３２】
３５は１〜ｊの複数の広告主用端末ＰＣで、Ｗｅｂサーバが送信するＷｅｂデータを受信して表示するＷｅｂブラウザを内蔵し、広告情報や広告主情報をＡＢＣプリントステーション３１の広告／広告主情報ＤＢ４１に登録することができる。
【００３３】
３６は１〜ｋの複数の金融機関用端末ＰＣで、広告料金や印刷料金の金融機関からの引き落としを行う。
【００３４】
４０〜４３はＡＢＣプリントステーション３１内のＤＢ群であり、４０はプリンタ情報ＤＢ、４１は広告／広告主情報ＤＢ、４２は郵便番号＋店名情報ＤＢ、４３は印刷ジョブ情報ＤＢである。
【００３５】
また、４４〜５０は各種プログラム群であり、４４はプリンタ情報登録手段、４５は広告／広告主情報登録手段、４６はユーザ／ジョブ情報登録／検索手段、４７は印刷受付番号＋広告データ送信手段、４８は印刷受付番号＋広告データメール送信手段、４９は印刷料金算出請求手段である。
【００３６】
以下、上記のＡＢＣプリントステーションを利用した広告表示付き印刷依頼の処理過程の手順について、図１〜図１４の参照図面と図１７〜図２２のフローチャートを参照して説明する。図２から図１４は、本発明に係る印刷システムの第１の実施形態において表示される表示画面の一例の概略図であり、図１７から図２２は、本発明に係る印刷システムの第１の実施形態における動作のフローチャートである。
【００３７】
まず、図１の３４のプリンタ用端末から、プリンタをＡＢＣプリントステーション内のプリンタ情報ＤＢに登録する際の手順について説明する。
【００３８】
まず、プリンタ用端末は、図２０のステップ２０を実行し、ＡＢＣプリントセンターのＷｅｂサーバにプリンタ登録用ホームページデータの送信を依頼する。なお、図２０に示されるフローチャートは、本発明に係る印刷システムの第１の実施形態におけるＷｅｂブラウザのプリンタ登録処理のフローチャートである。
【００３９】
そして、ＡＢＣプリントステーションのＷｅｂサーバにおいて、図１９のフローチャートのステップ１８の処理が行なわれ、図１１に示すＡＢＣプリントステーションのプリンタ登録用ホームページデータが要求のあったプリンタ用端末ＰＣ上に送信される。図１９に示されるフローチャートは、本発明に係る印刷システムの第１の実施形態におけるＷｅｂサーバのプリンタ登録処理のフローチャートである。
【００４０】
そこで、プリンタ用端末では、図２０のステップ２０からステップ２１に処理が移行し、図１１に示す受信プリンタ登録用ホームページデータを端末上に表示させ、プリンタ登録者がプリンタ用端末上のブラウザを介して、各項目の入力と登録指令が実施されるのを待機する状態となる。
【００４１】
そして、図１２に示すように、ユーザが、店名、住所、ネットワークアドレス、地図等の項目を入力して登録ボタンを選択すると、図２０のステップ２１からステップ２２に移行し、入力されたプリンタ登録用データがサーバに送信される。
【００４２】
そして、サーバは、上記登録用データを受信して、図１９のステップ１８からステップ１９に移行し、ここで受信プリンタ登録用データを、図１のプリンタ情報ＤＢ４０に登録する。
【００４３】
以下、同様の手順によって、各プリンタがＡＢＣプリントステーション内のプリンタ情報ＤＢに登録される。
【００４４】
次に、図１の広告主端末ＰＣ３５から、広告内容と広告主情報をＡＢＣプリントステーション内の広告／広告主情報ＤＢ４１に登録する際の手順について説明する。
【００４５】
まず、広告主端末ＰＣ側で図２２のステップ２５を実行し、広告主端末ＰＣ側はＡＢＣプリントセンターのＷｅｂサーバに広告／広告主情報登録用ホームページデータの送信を依頼する。図２２は、本発明に係る印刷システムの第１の実施形態におけるＷｅｂブラウザの広告／広告主情報登録処理のフローチャートである。
【００４６】
ＡＢＣプリントステーションのＷｅｂサーバにおいて、図２１のフローチャートのステップ２３の処理が行なわれ、図１３に示すＡＢＣプリントステーションの広告／広告主情報登録用ホームページデータが要求のあった広告主端末ＰＣ上に転送される。図２１は、本発明に係る印刷システムの第１の実施形態におけるＷｅｂサーバの広告／広告主情報登録処理のフローチャートである。
【００４７】
そこで、端末側では、図２２のステップ２５からステップ２６に処理が移行し、図１３に示す受信広告／広告主情報登録用ホームページデータを端末上に表示し、広告情報登録者が端末ＰＣ上のブラウザを介して、各項目の入力と登録指令が実施されるのを待機する状態となる。
【００４８】
そして、図１４に示すように、広告情報登録者が、広告主名、住所、広告内容等の項目を入力して登録ボタンを選択すると、図２２のステップ２６からステップ２７に移行し、入力されたプリンタ登録用データがＷｅｂサーバに送信される。
【００４９】
そして、Ｗｅｂサーバは、この登録用データを受信して、図２１のステップ２３からステップ２４に移行し、ここで受信広告／広告主情報登録用データを、図１の広告／広告主情報ＤＢ４１に登録する。
【００５０】
以下、同様の手順によって、各広告／広告主情報がＡＢＣプリントステーション内の広告／広告主情報ＤＢに登録される。
【００５１】
次に、図１のユーザ端末３２から、図１のネットワーク対応プリンタ３３に出力依頼し、そのプリンタが設置されているコンビニに行って、代金と引き換えに印刷出力結果を受け取る際の手順について説明する。
【００５２】
まず、ユーザ端末側で図１８のステップ７を実行し、ＡＢＣプリントセンターのＷｅｂサーバに印刷依頼用ホームページデータの送信を依頼する。図１８は、本発明に係る印刷システムの第１の実施形態におけるＷｅｂブラウザのプリント要求処理のフローチャートである。
【００５３】
ＡＢＣプリントステーションのＷｅｂサーバにおいて、図１７のステップ１の処理が行なわれ、図２に示すＡＢＣプリントステーションの印刷依頼用ホームページデータが要求のあったユーザ端末３２上に転送される。図１７は、本発明に係る印刷システムの第１の実施形態におけるＷｅｂサーバのプリント要求処理のフローチャートである。
【００５４】
そこで、端末側では、図１８のステップ７からステップ８に移行し、図２に示す印刷依頼用ホームページデータを端末上に表示し、印刷依頼者が端末ＰＣ上のブラウザを介して、プリント対象とプリント先を選択し、印刷指令が実施されるのを待機する状態となる。
【００５５】
そして、ユーザが、プリント対象選択として“ファイル２”を選択し、プリント先選択として“新規プリンタ選択”を選択すると、図３に示すように、“プリンタ２”の部分が強調表示となり、プリント先の新規プリンタの選択のための検索パラメータとして、郵便番号と店名の入力を要求する表示を行うので、図４に示すように、郵便番号のみを指定し、“選択”マークを選択する。
【００５６】
この“選択”マークの選択によって、プリント対象がファイル２で、プリント先を「郵便番号“２３△−○○××”、店名＝“　”（指定なし）」で検索するための情報をサーバに送信した後、図１８に示されるステップ９に移行しここで登録プリンタが選択されたかどうか判定するが、新規プリンタを選択しているのでステップ１０に進む。
【００５７】
一方、図１７のサーバの処理フローチャート上のステップ１において、上記検索データを受信するのでステップ２に移行する。
【００５８】
ステップ２ではプリント先検索指令かどうか判定され、検索指令であるのでステップ３に移行する。
【００５９】
ステップ３では、Ｗｅｂサーバが、受信検索パラメータデータ「郵便番号“２３△−○○××”、店名＝“　”（指定なし）」に従って、図１のプリンタ情報ＤＢ４０と郵便番号＋店名情報ＤＢ４２上を検索し、検索結果データを印刷依頼ＰＣ上のブラウザ宛に送信した後、ステップ４に移行しプリント先選択指令受信待機となる。
【００６０】
ブラウザ側ではステップ１０においてその検索結果データを受信し、図５に示すようにブラウザ上にその検索結果データを表示して選択待機状態となる。本表示例では、デフォルトで「○○××：△△区××３−４−５」が選択され、強調表示されている。
【００６１】
そこで、この状態で図５上の選択マークを選択すると、サーバの処理の図１７のステップ４でそれが検出され、ステップ５に移行する。
【００６２】
ここで、図１のプリンタ情報ＤＢ４０上に選択プリント先情報とリンクされて格納されているプリント料金データリストを呼び出して、印刷依頼ＰＣに送信する。
【００６３】
そこで、この価格リストデータが、図１８のステップ１１で受信され、図６に示す表示が行われる。
【００６４】
この表示中の“広告を表示しない“を選択して選択マークを選択すると、図１８において、ステップ１２、ステップ１４、ステップ１６と移行し、図７に示す表示を行う。
【００６５】
一方、“広告を表示する”を選択すると、図１８において、ステップ１２、ステップ１４、ステップ１５と移行し、図８に示す表示を行なう。
【００６６】
そこで、この広告ウィンドウをスクロールさせると、図９に示す表示を行い、確認マークが表示されるので、確認マークを選択すると、図１８のフローチャート上でステップ１５からステップ１６に進み、図１０に示す表示を行う。
【００６７】
広告を表示しない場合は図７、表示する場合は図１０を各々表示して、受付ＩＤ番号とともに確認マーク選択待機状態となるので確認マークを選択すると、図１７のステップ６において印刷データと広告表示有無の印刷モード情報が受信されるので、ステップ６Ａに移行し印刷データが選択プリント先に送信され印刷が実行されるとともに印刷料金が計算され、図１の印刷ジョブ情報ＤＢ４３に受付ＩＤ番号とともに印刷料金が登録される。
【００６８】
以上の説明から明らかなように、本発明に係る印刷システムの第１の実施形態によれば、広告／広告主情報ＤＢ４１に格納された広告をユーザの選択によって端末画面上に表示するとしているため、ユーザに十分な広告情報を送信すると共に、ユーザが取得する印刷結果の品質を損なうことを防止することができる。
【００６９】
（印刷システムの第２の実施形態）
次に、本発明に係る印刷システムの第２の実施形態について図面を参照して説明する。なお、本実施形態の説明は、前述の本発明に係る印刷システムの第１の実施形態と異なる部分についてのみ説明し、前述の第１の実施形態で用いた図面であっても本実施形態で用いることができる図面を適宜用いてその説明を行う。
【００７０】
以下、本発明に係る印刷システムの第２の実施形態の処理過程の手順について、図７、図１５、図１６の参照図面と図２３、図２４のフローチャートを参照して説明する。図１５及び図１６は、本発明に係る印刷システムの第２の実施形態において表示される画面の一例の概略図である。
【００７１】
また、図２３は、本発明に係る印刷システムの第２の実施形態におけるＷｅｂサーバのプリント要求処理の動作のフローチャートであり、図２４は、本発明に係る印刷システムの第２の実施形態におけるＷｅｂブラウザのプリント要求処理の動作のフローチャートである。
【００７２】
本実施形態では、印刷受付番号をＷｅｂ表示中に表示する変わりに、メールアドレスを送信してもらい、印刷受付番号を広告と共に送信する方法をとることによって、広告を継続的に送信して広告効果を向上させることが可能となる。
【００７３】
処理過程としては、図２３のサーバの処理過程では、ステップ３５以降が先の実施形態と異なり、図２４のブラウザの処理過程では、ステップ４１以降が先の実施形態と異なる。
【００７４】
図２４のステップ４１では、サーバから送信されてきた選択プリント先とプリント料金表データを受信して、図１５に示す表示を行う。
【００７５】
ここで、「受付番号を表示」を選択して選択マークを選択すると、その選択信号が図２３のステップ３５で受信され、ステップ３６において印刷を実行後印刷料金を計算して印刷ジョブ情報ＤＢ上に登録し、指定印刷モードが広告非表示であるので図７に示す印刷受付番号データを含む表示データ送信して処理を終了する。
【００７６】
一方ブラウザ側では、図２４に示されるステップ４１からステップ４２、ステップ４４、ステップ４６と処理が移行し、ここで図７に示す表示データを受信、表示して処理を終了する。
【００７７】
また、図２４のステップ４１において「受付番号をメール」を選択してメールアドレスを入力後選択マークを選択すると、その選択信号が図２３のステップ３５で受信され、ステップ３６において印刷を実行、印刷料金を計算してＤＢ上に登録し、指定印刷モードが広告表示であるので、印刷受付番号を広告データと共に、受信したメールアドレス宛に送信される。
【００７８】
一方ブラウザ側では、図２４に示されるステップ４１からステップ４２、ステップ４４、ステップ４５と処理が順次行なわれ、ステップ４５でサーバから広告＋受付番号メールの受信待機となるが、これを受信し、図１６に示される画面を表示することによって処理が終了する。
【００７９】
このように、本発明に係る印刷システムの第２の実施形態においても、前述の本発明に係る印刷システムの第１の実施形態と同様の効果を得ることができると共に、メールを用いて広告を発信することができる。
【００８０】
【発明の効果】
以上述べたように本発明によれば、広告情報の表示を、印刷による表示ではなく、Ｗｅｂ上の表示や電子メールによる表示で行なうので、印刷内容の品位に影響を与えたり、印刷スペースの制限から十分な広告メッセージを伝えられないなどの不都合が発生せず、印刷依頼ユーザと広告主の双方にとって利益が得られる効果が得られる。
【図面の簡単な説明】
【図１】本発明に係る印刷システムの第１の実施形態の構成を説明するブロック図である。
【図２】本発明に係る印刷システムの第１の実施形態において表示される表示画面の一例の概略図である。
【図３】本発明に係る印刷システムの第１の実施形態において表示される表示画面の一例の概略図である。
【図４】本発明に係る印刷システムの第１の実施形態において表示される表示画面の一例の概略図である。
【図５】本発明に係る印刷システムの第１の実施形態において表示される表示画面の一例の概略図である。
【図６】本発明に係る印刷システムの第１の実施形態において表示される表示画面の一例の概略図である。
【図７】本発明に係る印刷システムの第１の実施形態において表示される表示画面の一例の概略図である。
【図８】本発明に係る印刷システムの第１の実施形態において表示される表示画面の一例の概略図である。
【図９】本発明に係る印刷システムの第１の実施形態において表示される表示画面の一例の概略図である。
【図１０】本発明に係る印刷システムの第１の実施形態において表示される表示画面の一例の概略図である。
【図１１】本発明に係る印刷システムの第１の実施形態において表示される表示画面の一例の概略図である。
【図１２】本発明に係る印刷システムの第１の実施形態において表示される表示画面の一例の概略図である。
【図１３】本発明に係る印刷システムの第１の実施形態において表示される表示画面の一例の概略図である。
【図１４】本発明に係る印刷システムの第１の実施形態において表示される表示画面の一例の概略図である。
【図１５】本発明に係る印刷システムの第２の実施形態において表示される画面の一例の概略図である。
【図１６】本発明に係る印刷システムの第２の実施形態において表示される画面の一例の概略図である。
【図１７】本発明に係る印刷システムの第１の実施形態におけるＷｅｂサーバのプリント要求処理のフローチャートである。
【図１８】本発明に係る印刷システムの第１の実施形態におけるＷｅｂブラウザのプリント要求処理のフローチャートである。
【図１９】本発明に係る印刷システムの第１の実施形態におけるＷｅｂサーバのプリンタ登録処理のフローチャートである。
【図２０】本発明に係る印刷システムの第１の実施形態におけるＷｅｂブラウザのプリンタ登録処理のフローチャートである。
【図２１】本発明に係る印刷システムの第１の実施形態におけるＷｅｂサーバの広告／広告主情報登録処理のフローチャートである。
【図２２】本発明に係る印刷システムの第１の実施形態におけるＷｅｂブラウザの広告／広告主情報登録処理のフローチャートである。
【図２３】本発明に係る印刷システムの第２の実施形態におけるＷｅｂサーバのプリント要求処理の動作のフローチャートである。
【図２４】本発明に係る印刷システムの第２の実施形態におけるＷｅｂブラウザのプリント要求処理の動作のフローチャートである。
【符号の説明】
３０　通信網
３１　ＡＢＣプリントステーション（Ｗｅｂサーバ内臓）
３２　ユーザ端末（Ｗｅｂブラウザ内蔵）
３３　ネットワーク対応プリンタ
３４　プリンタ用端末（Ｗｅｂブラウザ内蔵）
３５　広告主用端末（Ｗｅｂブラウザ内蔵）
３６　金融機関端末
４０　プリンタ情報ＤＢ
４１　広告／広告主情報ＤＢ
４２　郵便番号＋店名情報ＤＢ
４３　印刷ジョブ情報ＤＢ
４４　プリンタ情報登録手段
４５　広告／広告主情報登録手段
４６　ユーザ／ジョブ情報登録／検索手段
４７　印刷受付番号＋広告情報データ送信手段
４８　印刷受付番号＋広告情報メール送信手段
４９　印刷料金算出請求手段
【図１】
2004046721.tif 000003
【図２】
2004046721.tif 000004
【図３】
2004046721.tif 000005
【図４】
2004046721.tif 000006
【図５】
2004046721.tif 000007
【図６】
2004046721.tif 000008
【図７】
2004046721.tif 000009
【図８】
2004046721.tif 000010
【図９】
2004046721.tif 000011
【図１０】
2004046721.tif 000012
【図１１】
2004046721.tif 000013
【図１２】
2004046721.tif 000014
【図１３】
2004046721.tif 000015
【図１４】
2004046721.tif 000016
【図１５】
2004046721.tif 000017
【図１６】
2004046721.tif 000018
【図１７】
2004046721.tif 000019
【図１８】
2004046721.tif 000020
【図１９】
2004046721.tif 000021
【図２０】
2004046721.tif 000022
【図２１】
2004046721.tif 000023
【図２２】
2004046721.tif 000024
【図２３】
2004046721.tif 000025
【図２４】
2004046721.tif 000026